(57)【要約】【課題】カメラ本体を大型化することなく、標準電波を受信可能として標準電波から得られた標準時刻をカメラ本体に内蔵した内部クロックに設定する。【解決手段】カメラケース７２内にはプレート状のプラグ部材７８及び受信アンテナ８２が配置されている。デジタルカメラ１０をカメラケース７２内の収納位置へ挿入すると、デジタルカメラ１０のコネクタ部材９０がカメラケース７２のプラグ部材７８に接続され、コネクタ部材９０及びプラグ部材７８を介して、受信アンテナ８２がデジタルカメラ１０に内蔵された標準電波受信回路に接続される。標準電波受信回路は受信アンテナ８２に電気的に接続されると、標準電波が受信可能な状態になる。【選択図】　図１
2004053990.tif 000002
【特許請求の範囲】
【請求項１】
被写体を撮影可能とされたカメラ本体と、前記カメラ本体に着脱可能に装着され、該カメラ本体と共に使用、保管されるアクセサリー部品とを有するカメラシステムであって、
現在時刻を計時する内部クロックと、
前記カメラ本体に配置され、標準時刻に対応する標準電波を受信すると、該標準電波を時刻データに変換する標準電波受信回路と、
前記標準電波受信回路により前記標準電波から変換された時刻データにより標準時刻を判断し、該標準時刻を前記内部クロックに現在時刻として設定する時刻修正手段と、
前記アクセサリ部品に配置され、該アクセサリ部品が前記カメラ本体に装着されると、前記標準電波受信回路に接続されると共に、該電波受信回路により標準電波の受信を可能とする受信アンテナと、
を有することを特徴とするカメラシステム。
【請求項２】
前記標準電波受信回路は、前記アクセサリ部品が前記カメラ本体に装着されることに同期し、前記受信アンテナを介して標準電波の受信を開始し、受信された標準電波を時刻データに変換することを特徴とする請求項１記載のカメラシステム。
【請求項３】
前記アクセサリ部品は、前記カメラ本体を収納可能とれたカメラケース、前記カメラ本体を非接触で遠隔操作するためのリモコンユニット及び前記カメラ本体に連結される三脚の何れかであることを特徴とする請求項１又は２記載のカメラシステム。
【発明の詳細な説明】
【０００１】
【発明の属する技術分野】
本発明は、カメラ本体及びこのカメラ本体と共に使用、保管される各種のアクセサリ部品を有するカメラシステムに関する。
【０００２】
【従来の技術】
近年、携帯型のデジタルスチルカメラ（以下、単に「デジタルカメラ」という）が普及してきている。このようなデジタルカメラには、内部クロックが設けられ、この内部クロックにより計時されている時刻情報（現在時刻）を画像データに関連付けることで、撮影画像に撮影日付または時刻を記録することができるものがある。しかし、電池交換などによって内部クロックの日付または時刻情報がリセットされた際には、現在時刻、日付等を毎回再度設定し直す必要がある。また海外旅行へカメラ装置を携帯する場合にも、カメラ装置に現地時刻を設定し直す必要がある。
【０００３】
そこで、上記のようなデジタルカメラでは、現在時刻の設定作業を不要又は簡単にするため、電波時計を内蔵することが考えられる。このようにデジタルカメラに電波時計を内蔵すれば、標準時刻をのせて電波送信所から送られてくる標準電波を受信可能な地域では、内部クロックの時刻合わせを不要又は簡単にできる。
【０００４】
【発明が解決しようとする課題】
しかしながら、上記のようなデジタルカメラは、一部の高級機を除く多くのもので急速に小型化が進行している。このため、電波時計を構成する部品のうち比較的、大きな設置スペースを必要とする受信アンテナをデジタルカメラに配置することが難しいという問題がある。またデジタルカメラに電波時計の受信アンテナを内蔵すると、デジタルカメラが大型化したり、撮影時の操作に邪魔になるような突起がデジタルカメラに形成されてしまう。そこで、カメラにユーザの持つ腕時計から現在時刻を含む各種情報を赤外線等により送信するカメラシステムが提案されている（特開２０００−１３５７４号公報）。しかし、このカメラシステムではユーザがカメラと共に専用の腕時計を常に携帯する必要がある。また、特開２００１−２０９１１１号公報には、標準時刻情報がのせられた標準電波の受信回路を有し、標準電波を受信して現在時刻を自動修正するカメラが開示されているが、この公報には、標準電波を受信するためのアンテナの構成が具体的に記載されていない。
【０００５】
本発明の目的は、上記事実を考慮して、カメラ本体を大型化することなく、標準電波を受信可能として標準電波から得られた標準時刻をカメラ本体に内蔵した内部クロックに設定できるカメラシステムを提供することにある。
【０００６】
【課題を解決するための手段】
上記目的を達成するため、本発明に係るカメラ装置は、被写体を撮影可能とされたカメラ本体と、前記カメラ本体に着脱可能に装着され、該カメラ本体と共に使用、保管されるアクセサリー部品とを有するカメラシステムであって、現在時刻を計時する内部クロックと、前記カメラ本体に配置され、標準時刻に対応する標準電波を受信すると、該標準電波を時刻データに変換する標準電波受信回路と、前記標準電波受信回路により前記標準電波から変換された時刻データにより標準時刻を判断し、該標準時刻を前記内部クロックに現在時刻として設定する時刻修正手段と、前記アクセサリ部品に配置され、該アクセサリ部品が前記カメラ本体に装着されると、前記標準電波受信回路に接続されると共に、該電波受信回路により標準電波の受信を可能とする受信アンテナと、を有することを特徴とする。
【０００７】
上記本発明の係るカメラシステムによれば、標準電波を受信すると、この標準電波を時刻データに変換する標準電波受信回路をカメラ本体に配置すると共に、受信アンテナをアクセサリ部品に配置し、このアクセサリ部品がカメラ本体に装着されると、受信アンテナをカメラ本体側の標準電波受信回路に接続することにより、比較的、大きな設置スペースを必要とする受信アンテナをカメラ本体に配置することなく、アクセサリ部品をカメラ本体に装着すれば、標準電波受信回路が受信アンテナを介して標準電波を受信できる状態となり、標準電波を受信することで、この標準電波から変換された時刻データにより標準時刻を判断し、この標準時刻を内部クロックに現在時刻として設定できる。
【０００８】
従って、カメラ本体を大型化したり、撮影時の操作に邪魔になるような突起をカメラ本体に形成することなく、標準電波から得られた標準時刻をカメラ本体に内蔵した内部クロックに設定できるので、内部クロックに現在時刻を設定する作業を不要に出来ると共に、内部クロックにより計時されている現在時刻の精度を大幅に向上できる。
【０００９】
【発明の実施の形態】
以下、図面を参照して本発明の実施形態に係るカメラシステムについて詳細に説明する。
【００１０】
（第１の実施形態）
図１には本発明の第１の実施形態に係るカメラシステムが示されている。このカメラシステム７０は、カメラ本体としてのデジタルカメラ１０及び、このデジタルカメラ１０を収納保管するためのアクセサリー部品であるカメラケース７２を備えている。図１（Ａ）に示されるように、デジタルカメラ１０は、外郭部としてケーシング１１を備えており、このケーシング１１には、シャッタボタン１２、レンズ１４、ストロボ１６、リモコンユニット１０２から操作信号としての赤外線信号を受光するためのリモコン受光部１８、オートフォーカス用のＡＦ受光部２０及び絞り自動制御用のＡＥ受光部２２がそれぞれ設けられている。
【００１１】
一方、図１（Ｂ）に示されるように、カメラケース７２は、全体としてデジタルカメラ１０のケーシング１１よりも一回り大きい筐体状とされており、その長手方向（矢印Ｌ方向）に沿った一端部に開口部７４が形成されると共に、この開口部７４を開閉するフラップ状の蓋部７６が設けられている。デジタルカメラ１０は開口部７４を通してカメラケース７２内へ収納可能とされている。また蓋部７６は、デジタルカメラ１０が収納された状態で開口部７４を閉鎖することで、デジタルカメラ１０をカメラケース７２内で所定の収納位置へ保持する。
【００１２】
カメラケース７２内には、開口部７４と反対側の底板部にプレート状のプラグ部材７８が取り付けられている。このプラグ部材７８は、一対のコネクタピン８０をカメラケース７２内へ突出させている。またカメラケース７２には、短手方向に沿った片側の側壁部内にロッド状の受信アンテナ８２が埋設されており、この受信アンテナ８２はプラグ部材７８に電気的に接続されている。受信アンテナ８２は、図３に示されるように、フェライト等からなる丸棒状のコア８６の外周面上に導線８８を巻き付けて構成されている。
【００１３】
一方、デジタルカメラ１０には、図１（Ａ）に示されるように、側面部におけるプラグ部材７８に対応する部位にコネクタ部材９０が設置されている。このコネクタ部材９０には、プラグ部材７８における一対のコネクタピン８０がそれぞれ挿脱可能とされた一対の差込穴９４が設けられている。またデジタルカメラ１０には、ケーシング１１の側面部に沿ってコネクタ部材９０を遮蔽する遮蔽位置と開放する開放位置との間でスライド可能とされた開閉部材９６が配置されている。これにより、開閉部材９６を開放位置へスライドさせた状態で、デジタルカメラ１０をカメラケース７２内の収納位置へ挿入すると、プラグ部材７８における一対のコネクタピン８０がそれぞれコネクタ部材９０における一対の差込穴９４内へ挿入され、受信アンテナ８２がプラグ部材７８及びコネクタ部材９０を介してデジタルカメラ１０側へ電気的に接続される。またカメラケース７２内に収納されたデジタルカメラ１０をカメラケース７２から抜き取ると、プラグ部材７８における一対のコネクタピン８０がコネクタ部材９０から離脱し、受信アンテナ８２がデジタルカメラ１０側から切り離される。
【００１４】
図２にはデジタルカメラ１０の構成がブロック図により示されている。デジタルカメラ１０には、ＣＰＵ、内部メモリ等からなる制御部２４が設けられており、この制御部２４には、駆動回路２６が接続されている。駆動回路２６には、レンズ１４、ストロボ１６、シャッタ３２、絞り３４、及び撮影デバイス３６が接続されている。撮影デバイス３６は、例えば、ＣＣＤ等の撮影素子を含んで構成される。
【００１５】
制御部２４では、ＡＦ受光回路２８により測定された被写体との距離に基づいてオートフォーカス（ＡＦ）制御値を定めて駆動回路２６へ出力する。駆動回路２６では、ＡＦ制御値に基づいてレンズ１４を駆動させ、自動的に焦点調整を行う。ここで、ＡＦ受光回路２８には、ＬＥＤ光源３０及びＡＦ受光部２０が接続されとりり、ＬＥＤ光源３０により赤外線を被写体へ向かって出射すると共に、被写体により反射された赤外線をＡＦ受光部２０により検出することで被写体までの距離を測定する。
【００１６】
制御部２４では、測光回路３２により測定された測光値に基づいて露光制御値、例えば絞り値（絞りの開口量）やシャッタスピード、ストロボ１６により発光させるか否か等を定めて駆動回路２６へ出力する。そして、シャッタボタン１２が押下されると、駆動回路２６では、露光制御値に基づいてシャッタ３２や絞り３４、ストロボ１６、撮影デバイス３６を駆動させ、レンズ１４を透過した被写体像を撮影する。測光回路３２にはＡＥ受光部２２が接続されており、このＡＥ受光部２２に入射した光の強度を検出することで測光値を測定する。また撮影デバイス３６のＣＣＤには、露光制御値に応じて入射する光の光量に対応した電荷が蓄積される。蓄積された電荷、すなわち画像信号は、アナログ信号処理部４６へ出力される。
【００１７】
アナログ信号処理部４６では、入力された画像信号に所定のアナログ信号処理（例えばノイズ低減処理）を施し、Ａ／Ｄ変換部４８へ出力する。Ａ／Ｄ変換部４８では、入力されたアナログ信号をデジタル信号に変換してデジタル信号処理部５０へ出力する。デジタル信号処理部５０では、入力されたデジタル信号に所定のデジタル信号処理（例えばシェーディング補正処理）を施し、画像データとしてメモリ５４へ出力する。また、メモリ５４に出力された画像データの画像はディスプレイ５８により表示される。
【００１８】
図２に示されるように、デジタルカメラ１０は、現在の年月日及び時刻（以下、これらを総称して「現在時刻」という。）を計時するための内部クロック６０を内蔵しており、制御部２４は、画像データのメモリ５４への格納時に、この画像データに関連付けて現在時刻に対応する時刻データをメモリ５４に格納する。これにより、ユーザの設定等に応じ画像データに基いて出力される写真画像へ時刻を記録することが可能になる。また制御部２４には、標準時刻をのせて電波送信所（例えば、おおかどや山標準電波送信所）から送信される標準電波を受信するための標準電波受信回路９８が接続されており、この標準電波受信回路９８にはコネクタ部材９０（図１参照）が電気的に接続されている。
【００１９】
ここで、標準電波受信回路９８は、カメラケース７２に配置された受信アンテナ８２に電気的に接続されると、所定強度以上の標準電波を受信可能な状態になる。標準電波受信回路９８は、標準電波を受信すると、この標準電波を時刻データに変換して制御部２４へ出力する。この時刻データを受けた制御部２４は標準時刻を判断し、この標準時刻が内部クロック６０に現在時刻として設定されるように内部クロック６０を制御する。
【００２０】
デジタルカメラ１０では所定の操作を行うことにより撮影した画像をメモリカード等のカード型記憶媒体へ記憶させることができる。この場合、メモリ５４に記憶された画像データは圧縮伸張部５６へ出力され、該圧縮伸張部５６において所定の画像圧縮処理（例えばＪＰＥＧ処理）が行われる。圧縮された画像データはメモリカードドライブ２０に出力され、カード型記録媒体に書き込まれる。なお、デジタルカメラ１０では、カード型記録媒体に記憶された圧縮画像データを読み出すこともできる。この場合、カード型記録媒体から読み出された圧縮画像データは圧縮伸張部５６へ出力され、該圧縮伸張部５６において伸張処理が施される。これにより、圧縮画像から元の画像に戻される。伸張処理された画像は、ディスプレイ５８に表示される。
【００２１】
図２に示されるように、デジタルカメラ１０にはリモコン受光回路６２が設けられており、このリモコン受光回路６２にはリモコン受光部１８が接続されている。リモコン受光回路６２は、リモコン受光部１８に入射した赤外線信号を電気的なデジタル信号に変調して制御部２４へ出力する。制御部２４では、リモコン受光回路６２から入力したデジタル信号に応じてデジタルカメラ１０による撮影動動作等を制御する。
【００２２】
なお、デジタルカメラ１０の各部は、電源回路６４（図２参照）から電源が供給されて動作するが、この電源回路６４は、デジタルカメラ１０のメイン電源のオフ時には、サブ電源（例えば、リチウム電池）により電源が供給され、リモコンユニット１０２から送信される電波信号の監視のみを行う。これにより、メイン電源の消費電力を抑えることができる。
【００２３】
次に、上記のように構成された本発明の第１の実施形態に係るカメラシステム７０の作用について説明する。
【００２４】
デジタルカメラ１０は、撮影を行う際にはカメラケース７２内から取り出される。この状態では、カメラケース７２に配置された受信アンテナ８２がデジタルカメラ１０の標準電波受信回路９８から切り離されているので、標準電波受信回路９８は標準電波を受信できない。但し、このときも、デジタルカメラ１０の内部クロック６０はクォーツ時計として現在時刻の計時を継続する。これにより、デジタルカメラ１０では、内部クロック６０からの時刻データを撮影した画像データに関連付けてメモリ５４に記憶することで、画像データに基いて出力された写真プリント等の出力画像に撮影年月日、撮影時刻等を記録したり、ディスプレイ５８に現在時刻を表示することができる。
【００２５】
またユーザは、多くの場合、デジタルカメラ１０を長期的に使用しない時には、デジタルカメラ１０をカメラケース７２内へ収納し、また短期的に使用しないときでもカバン等に入れて携帯する場合にも、保護のためにデジタルカメラ１０をカメラケース７２内に収納する。デジタルカメラ１０をカメラケース７２内の収納位置へ収納することにより、カメラケース７２に配置された受信アンテナ８２がデジタルカメラ１０の標準電波受信回路９８に接続されるので、標準電波受信回路９８が標準電波を受信可能な状態になる。標準電波受信回路９８は、受信アンテナ８２と接続されると、これに同期して標準電波の受信を開始し、標準電波にのせられた標準時刻を所定の形式（例えば、シリアル形式）を有する時刻データに変換し、この時刻データを制御部２４へ出力する。これにより、制御部２４は時刻データに基いて標準時刻を判断し、この標準時刻が内部クロック６０に現在時刻として設定されるように内部クロック６０を制御する。
【００２６】
また標準電波受信回路９８には、予め所定の受信周期（例えば、６０分）が計時時間としてセットされた内部タイマ（図示省略）が設けられており、この内部タイマは、標準電波を受信開始すると同時に計時を開始し、計時時間が受信周期と一致するとタイムアップ信号を出力する。このタイムアップ信号の出力に同期して、標準電波受信回路９８は、標準電波の受信を開始し、標準電波にのせられた標準時刻を時刻データに変換し、この時刻データを制御部２４へ出力する。これにより、制御部２４は、前回の標準電波の受信時と同様に、時刻データに基いて標準時刻を判断し、この標準時刻を内部クロック６０に設定する。
【００２７】
以上説明した第１の実施形態に係るカメラシステム７０によれば、標準電波を受信すると、この標準電波を時刻データに変換する標準電波受信回路９８をデジタルカメラ１０に内蔵すると共に、受信アンテナ８２をカメラケース７２に配置し、このカメラケース７２内にデジタルカメラ１０が収納されると、受信アンテナ８２をデジタルカメラ１０の標準電波受信回路９８に接続することにより、比較的、大きな設置スペースを必要とする受信アンテナ８２をカメラ本体に配置することなく、カメラケース７２内にデジタルカメラ１０を収納すれば、標準電波受信回路９８が受信アンテナ８２を介して標準電波を受信できる状態となり、標準電波受信回路９８が標準電波を受信することで、この標準電波から変換された時刻データにより標準時刻を判断し、この標準時刻を内部クロック６０に現在時刻として設定できる。
【００２８】
従って、デジタルカメラ１０を大型化したり、撮影時の操作に邪魔になるような突起をデジタルカメラ１０のケーシング１１に形成することなく、標準電波から得られた標準時刻をデジタルカメラ１０に内蔵した内部クロック６０に設定できるので、内部クロック６０に現在時刻を設定する作業を不要に出来ると共に、内部クロック６０により計時されている現在時刻の精度を大幅に向上できる。
【００２９】
（第１の実施形態の変形例）
次に、本発明の第１の実施形態に係るカメラシステムの変形例について説明する。
【００３０】
図４及び図５には、それぞれ本発明の第１の実施形態に係るカメラシステムの変形例が示されている。なお、これらのカメラシステムにおいて、図１及び図２に示されるカメラシステム７０と共通の部分については同一符合を付して説明を省略する。
図４に示されるカメラシステム１００は、デジタルカメラ１０及びこのデジタルカメラ１０のケーシング１１に着脱可能に取り付けられるリモコンユニット１０２を備えている。このリモコンユニット１０２は、遠隔操作によりデジタルカメラ１０に撮影動作を行わせるためののものであり、デジタルカメラ１０のシャッタ１０４を作動させて撮影を行わせるためのレリーズボタン７２及び、ＬＥＤ等を光源として赤外線信号を出射するための赤外線出力部１０６を備えている。
【００３１】
リモコンユニット１０２は、全体としてケーシング１１よりも十分に小さいプレート状に形成されており、マグネット、ラッチ機構等にワンタッチでケーシング１１の側面部１１Ａに取り付け、またケーシング１１の側面部１１Ａから取り外せるようになっている。
【００３２】
リモコンユニット１０２内には、その外周端に沿ってロッド状の受信アンテナ１０８が埋設されている。この受信アンテナ１０８は、リモコンユニット１０２がデジタルカメラ１０に取り付けられると、図１及び図２に示されるカメラシステム７０と同様に、デジタルカメラ１０側のコネクタ部材（図示省略）及びリモコンユニット１０２側のプラグ部材（図示省略）を介してデジタルカメラ１０の標準電波受信回路９８に電気的に接続される。これにより、標準電波受信回路９８は、受信アンテナ１０８を介して標準電波を受信可能な状態になる。リモコンユニット０２がデジタルカメラ１０から取り外されると、標準電波受信回路９８から切り離される。
【００３３】
このカメラシステム１００でも、標準電波受信回路９８が受信アンテナ８２と接続されると、これに同期して標準電波受信回路９８が標準電波の受信を開始し、標準電波にのせられた標準時刻を所定の形式（例えば、シリアル形式）を有する時刻データに変換し、この時刻データを制御部２４へ出力する。これにより、制御部２４は時刻データに基いて標準時刻を判断し、この標準時刻が内部クロック６０に現在時刻として設定されるように内部クロック６０を制御する。また標準電波受信回路９８には、所定の受信周期毎に標準電波を受信して時刻データを制御部２４へ出力する。これにより、制御部２４は、前回の標準電波の受信時と同様に、時刻データに基いて標準時刻を判断し、この標準時刻を内部クロック６０に設定する。
【００３４】
図５に示されるカメラシステム１１０は、デジタルカメラ１０及びこのデジタルカメラ１０のケーシング１１に取り付けられたストラップ１１２を備えている。このストラップ１１２はループ状に形成されており、その一端部がケーシング１１に固定されている。ストラップ１１２は、例えば、ナイロン等の樹脂により中空パイプ状に成形されており、その内部には略Ｃ字状に湾曲した受信アンテナ１１４が配置されている。この受信アンテナ１１４は、ストラップ１１２内を配線されたケーブル（図示省略）によりデジタルカメラ１０に内蔵された標準電波受信回路９８に電気的に接続されている。これにより、標準電波受信回路９８は、何時でも、受信アンテナ１１４を介して標準電波を受信可能な状態になっている。
【００３５】
このカメラシステム１１０では、所定の受信周期毎に標準電波受信回路９８が標準電波の受信を開始し、標準電波にのせられた標準時刻を所定の形式（例えば、シリアル形式）を有する時刻データに変換し、この時刻データを制御部２４へ出力する。これにより、制御部２４は時刻データに基いて標準時刻を判断し、この標準時刻が内部クロック６０に現在時刻として設定されるように内部クロック６０を制御する。
【００３６】
以上説明した図４及び図５に示されたカメラシステム１００，１１０によっても、デジタルカメラ１０を大型化したり、撮影時の操作に邪魔になるような突起をデジタルカメラ１０のケーシング１１に形成することなく、標準電波から得られた標準時刻をデジタルカメラ１０に内蔵した内部クロック６０に設定できるので、内部クロック６０に現在時刻を設定する作業を不要に出来ると共に、内部クロック６０により計時されている現在時刻の精度を大幅に向上できる。
【００３７】
（第２の実施形態）
図６には本発明の第２の実施形態に係るカメラシステムが示されている。なお、これらのカメラシステム１２０において、図１及び図２に示されるカメラシステム７０と共通の部分については同一符合を付して説明を省略する。
【００３８】
図６に示されるように、カメラシステム１２０は、カメラ本体としてのデジタルカメラ１０及び、このデジタルカメラ１０に着脱可能に連結されるデジタルカメラ１０を安定的に支持するための三脚１２２を備えている。この三脚１２２は、ベース台１３０に３本の脚部１２４，１２６，１２８が連結された構造とされており、ベース台１３０には、デジタルカメラ１０の底面部に設けられたネジ穴１３４に捻じ込み可能とされた連結ねじ１３２が設けらると共に、プレート状のプラグ部材１３５が配置されている。このプラグ部材１３５は複数のコネクタピン１３６を突出させている。
【００３９】
三脚１２２における脚部１２４，１２６，１２８内には、それぞれロッド状の受信アンテナ１３８、標準電波受信回路１４０及びバッテリパック１４２が収納されている。受信アンテナ１３８及びバッテリパック１４２はそれぞれ標準電波受信回路１４０と電気的に接続されており、バッテリパック１４２は標準電波受信回路１４０に駆動用の電源を供給し、また標準電波受信回路１４０は、受信アンテナ１３８を介して標準電波を受信可能とされている。ここで、受信アンテナ１３８は、図１に示される受信アンテナ８２と同様に、丸棒状のコア１４４の外周面上に導線１４６を巻き付けた構造とされている。
【００４０】
一方、デジタルカメラ１０には、底面部におけるプラグ部材１３５に対応する部位にコネクタ部材１４８が設置されている。このコネクタ部材１４８は、デジタルカメラ１０の制御部２４における信号入力端子（図示省略）に接続されている。ここで、コネクタ部材１４８は、三脚１２２の連結ねじ１３２がデジタルカメラ１０のねじ穴１３４に捻じ込まれて三脚１２２がケーシング１１に連結されると、プラグ部材１３５に電気的に接続される。またコネクタ部材１４８は、三脚１２２がデジタルカメラ１０のケーシング１１から離脱すると、プラグ部材１３５から離脱する。
【００４１】
三脚１２２の標準電波受信回路１４０は、三脚１２２がデジタルカメラ１０に連結されると、受信アンテナ１３８を介して標準電波を受信し、この標準電波を時刻データに変換してプラグ部材１３５及びコネクタ部材１４８を介してデジタルカメラ１０の制御部２４へ出力する。この時刻データを受けた制御部２４は標準時刻を判断し、この標準時刻が内部クロック６０に現在時刻として設定されるように内部クロック６０を制御する。また標準電波受信回路１４０には、三脚１２２がデジタルカメラ１０に連結された状態になって期間には、所定の受信周期毎に標準電波を受信して時刻データを制御部２４へ出力する。これにより、制御部２４は、受信周期毎に時刻データに基いて標準時刻を判断し、この標準時刻を内部クロック６０に設定する。
【００４２】
以上説明した第２の実施形態に係るカメラシステム１２０によれば、標準電波を受信するために必要となる標準電波受信回路１４０、受信アンテナ１３８及びバッテリパック１４２を全てアクセサリ部品である三脚１２２内に内蔵したので、第１の実施形態に係るカメラシステム７０と比較しても、更にデジタルカメラ１０の小型化が可能になる。但し、標準電波受信回路１４０及びバッテリパック１４２の一方又は双方については、デジタルカメラ１０側に内蔵するようにしても良い。
【００４３】
（第３の実施形態）
図７には本発明の第３の実施形態に係るカメラが示されている。なお、このカメラシステム１５０において、図１及び図２に示されるカメラシステム７０と共通の部分については同一符合を付して説明を省略する。
【００４４】
図７に示されるカメラシステム１５０は、カメラ本体としてのデジタルカメラ１０及び、このデジタルカメラ１０に着脱可能に装着される延長アンテナ１５２を備えている。この延長アンテナ１５２には、先端へ向って先細りとなるロッドアンテナ部１５４が設けられると共に、このロッドアンテナ部１５４の基端側にコネクタ部１５６が設けられている。
【００４５】
一方、デジタルカメラ１０には、その内部に内蔵アンテナ１５８が設置されると共に、この内蔵アンテナ１５８に面してケーシング１１にソケット部１６０が開口している。これにより、カメラシステム１５０では、延長アンテナ１５２のコネクタ部１５６をソケット部１６０内へ嵌挿すると、延長アンテナ１５２がデジタルカメラ１０内の内蔵アンテナ１５８に電気的に接続される。すなわち、デジタルカメラ１０では、デジタルカメラ１０に内蔵された内蔵アンテナ１５８は非常に小型化されたものである。このため、デジタルカメラ１０の標準電波受信回路９８は、内蔵アンテナ１５８単独では極めて強い強度を有する標準電波しか受信できない。これに対して、延長アンテナ１５２を内蔵アンテナ１５８に電気的に接続すると、標準電波受信回路９８は、その受信感度が大幅に向上し、微弱な標準電波でも受信可能になる。
【００４６】
本実施形態のカメラシステム１５０では、デジタルカメラ１０に延長アンテナ１５２が装着されていない状態で、標準電波受信回路９８が標準電波を受信できないと、制御部２４へ標準電波を受信不能である旨のアラーム信号を出力する。このアラーム信号を受けた制御部２４は、ディスプレイ５８に標準電波を受信不能である旨のメッセージ、記号等のアラームを表示する。ユーザは、ディスプレイ５８のアラームを視認した場合には、延長アンテナ１５２をデジタルカメラ１０へ装着する。これにより、標準電波受信回路９８の受信感度を大幅に向上でき、電波の受信状態が悪い場合でも標準電波を受信できるようになる。このとき、ディスプレイ５８に表示されていたアラームが消えることにより、ユーザは標準電波が正常に受信されていることを確認できる。一方、標準電波の受信状態が良好な場合には、ディスプレイ５８にはアラームが表示されないので、延長アンテナ１５２をデジタルカメラ１０に装着することなく、カメラケース等に保管しておけば良い。
【００４７】
また、デジタルカメラ１０の標準電波受信回路９８は、標準電波が正常に受信されている時には、所定の受信周期毎に内蔵アンテナ１５８を介して標準電波を受信し、この標準電波を時刻データに変換してデジタルカメラ１０の制御部２４へ出力する。この時刻データを受けた制御部２４は標準時刻を判断し、この標準時刻が内部クロック６０に現在時刻として設定されるように内部クロック６０を制御する。
【００４８】
以上説明した第３の実施形態に係るカメラシステム１５０によれば、延長アンテナ１５２をデジタルカメラ１０に着脱可能としたので、標準電波の受信状態が良好ば時には、延長アンテナ１５２をデジタルカメラ１０から取り外しておけば良く、デジタルカメラ１０を大型化することなく、内蔵アンテナ１５８を介して標準電波受信回路９８が正常に標準電波を受信でき、また標準電波の受信状態が悪い時には、延長アンテナ１５２をデジタルカメラ１０に装着すれば、標準電波受信回路９８の受信感度を大幅に向上できるのでく、標準電波が微弱であっても標準電波受信回路９８が正常に標準電波を受信できる。
【００４９】
なお、以上の本実施形態に係る記載では、カメラシステムにおけるカメラ本体がデジタルカメラ１０である場合のみを説明したが、本発明に係る構成は、デジタルカメラ１０以外にもＡＰＳフィルム、１３５（３５ｍｍ）フィルム等の銀塩フィルムを記録媒体として使用する銀塩カメラや、動画撮影が可能なデジタルビデオカメラ等にも適用可能である。
【００５０】
また、図８に示されるような銀塩カメラ１７０に標準電波受信用の受信アンテナ１７２を配置することを考えた場合、本発明のように各種のアクセサリ部品に受信アンテナを配置することも考えられるが、図８に示されるように、写真フィルムを装填及び抜き取る際に開閉される裏蓋１８０のヒンジ部１７４に受信アンテナ１７２を配置するようにすれば、銀塩カメラ１７０のサイズを増大させることなく、受信アンテナ１７２を銀塩カメラ１７０に簡単に配置できるようになる。ここで、受信アンテナ１７２は、そのコア１７６が裏蓋１８０を開閉可能にケーシング１８２に連結するヒンジ部１７４の支軸として構成されており、このコア１７４の外周面には導線１７８が巻き付けられている。
【００５１】
【発明の効果】
以上説明したように、発明に係るカメラシステムによれば、カメラ本体を大型化することなく、標準電波を受信可能として標準電波から得られた標準時刻をカメラ本体に内蔵した内部クロックに設定できる。
【図面の簡単な説明】
【図１】本発明の第１の実施形態に係るカメラシステムの構成を示す斜視図である。
【図２】本発明の実施形態に係るカメラシステムにおけるデジタルカメラの構成を示すブロック図である。
【図３】図１に示されるカメラケースに配置された受信アンテナの構成を示す斜視図である。
【図４】本発明の第１の実施形態に係るカメラシステムの変形例の構成を示す斜視図であり、受信アンテナをリモコンユニットに配置した場合を示している。
【図５】本発明の第１の実施形態に係るカメラシステムの変形例の構成を示す斜視図であり、受信アンテナをストラップに配置した場合を示している。
【図６】本発明の第２の実施形態に係るカメラシステムの構成を示す斜視図である。
【図７】本発明の第３の実施形態に係るカメラシステムの構成を示す斜視図である。
【図８】銀塩カメラに標準電波受信用の受信アンテナを配置した場合の構成例を示す斜視図である。
【符号の説明】
１０　　　デジタルカメラ（カメラ本体）
２４　　　制御部（時刻修正手段）
６０　　　内部クロック
７０　　　カメラシステム
７２　　　カメラケース（アクセサリ部品）
８２　　　受信アンテナ
８６　　　コア（受信アンテナ）
８８　　　導線（受信アンテナ）
９８　　　標準電波受信回路
１００　　カメラシステム
１０２　　リモコンユニット（アクセサリ部品）
１０８　　受信アンテナ
１１０　　カメラシステム
１１２　　ストラップ（アクセサリ部品）
１１４　　受信アンテナ
１２０　　カメラシステム
１２２　　三脚（アクセサリ部品）
１３８　　受信アンテナ
１４０　　標準電波受信回路
１４４　　コア（受信アンテナ）
１４６　　導線（受信アンテナ）
【図１】
2004053990.tif 000003
【図２】
2004053990.tif 000004
【図３】
2004053990.tif 000005
【図４】
2004053990.tif 000006
【図５】
2004053990.tif 000007
【図６】
2004053990.tif 000008
【図７】
2004053990.tif 000009
【図８】
2004053990.tif 000010